(57)【要約】【課題】再帰反射性によって手品のような演出効果が得られるファッション製品を提供する。【解決手段】ファッション製品１の視認可能な部位に意匠図案１０が形成され、意匠図案１０に重ね合わせて別の隠し図案１１が更に形成されており、隠し図案１１は通常の光では意匠図案１０を透過させて、意匠図案１１を現出させる一方、光源などによって光を直射したときには再帰性反射によって、隠し図案１１を光源方向に現出させる。【選択図】図１
2016156112.tif 000002
【特許請求の範囲】
【請求項１】
視認可能な部位に所望の意匠図案が記されたファッション製品において、
意匠図案とは異なる隠し図案が前記意匠図案に重ね合わせて更に形成されており、
前記隠し図案は、光源によって光を直射したときには、光源の方向に再帰性反射することで、前記意匠図案に代わって現出することを特徴とするファッション製品。
【請求項２】
請求項１に記載のファッション製品において、
前記隠し図案は再帰反射作用を呈する多数の微粒子を定着させることで形成されていることを特徴とするファッション製品。
【請求項３】
請求項１又は２に記載のファッション製品において、
ファッション製品の当該部位に、前記意匠図案の上に前記隠し図案が予め形成されたシートを定着させてなることを特徴とするファッション製品。
【請求項４】
請求項１又は２に記載のファッション製品において、
前記意匠図案が予め形成された部位に、前記隠し図案を構成するシートを貼着させてなることを特徴とするファッション製品。
【請求項５】
請求項１又は２に記載のファッション製品において、
前記意匠図案が予め形成された部位に、再帰反射性を呈する塗料によって前記隠し図案を印刷してなることを特徴とするファッション製品。
【請求項６】
請求項１乃至５のいずれ一項に記載のファッション製品において、
ファッション製品の当該部位は繊維を下地材としていることを特徴とするファッション製品。
【請求項７】
請求項１乃至５のいずれか一項に記載のファッション製品において、
ファッション製品の当該部位は樹脂を下地材としていることを特徴とするファッション製品。
【発明の詳細な説明】
【技術分野】
【０００１】
本発明は、隠し図案を形成した衣服、帽子、靴、バッグ等のファッション製品に関する。
【背景技術】
【０００２】
再帰反射性を有する表示は自動車両の前照灯等に対する視認性に優れることから、従来は、交通標識などに使用されているが、近時においては、ファッション効果を目的として視認可能な部位に再帰反射性の意匠図案を記した衣類等が提案されている。
例えば次の特許文献１には柔軟で薄い再帰反射性フィルムを自由な形で衣服の自由な位置に設置することが記載されている。また特許文献２には衣類となるメッシュ地に再帰反射性インクを印刷等により付着させることが記載されている。これらによれば再帰反射性を持たせた衣服の着心地が向上する。また特許文献３には生地と同様のカラー再帰反射性インキ生成物を生地表面に固着させることが記載されている。これによれば昼夜で衣服の色や装飾性が維持できる。
【先行技術文献】
【特許文献】
【０００３】
【特許文献１】特開平０９−２１６４９９号公報
【特許文献２】特開２００２−３０９４１６号公報
【特許文献３】特開２００６−０２８６８２号公報
【発明の概要】
【発明が解決しようとする課題】
【０００４】
ところで各種ショーやイベントでは観客を驚かせることを目的としてステージに登場する人物の衣服に奇抜な演出効果を持たせることがある。しかしながら前記のように衣類に再帰反射性の意匠を記しただけでは照明を工夫してその部分に光源を直射しなければならず、さほどの演出効果は得られなかった。
本発明はそのような考察の結果として考案されたものであり、衣類などのファッション製品の同じ部位に、通常の意匠図案とともに、再帰反射性の意匠図案を隠し意匠として重ね合わせて形成することによって、一見して手品のような演出効果が得られるファッション製品を提供することを目的としている。
【課題を解決するための手段】
【０００５】
本発明は視認可能な部位に所望の意匠図案が形成されているファッション製品において、前記意匠図案に重ね合わせて別の隠し図案を更に形成してなるもので、前記隠し図案は、光源から光を直射したときには、光源の方向に再帰性反射することで、前記意匠図案に変わって現出する現出するようにしていることを特徴とする。
【発明の効果】
【０００６】
本発明では照明条件によってファッション製品の同一部位において意匠図案と隠し図案とが入れ替って表示されるという手品のような演出効果が得られる。
すなわち、光源が意匠図案を直射しない照明条件下では、隠し図案での光の反射はほとんどなく、光は意匠図案で反射されるので、意匠図案のみが現出する一方、光源が意匠図案を直射する照明条件下では、再帰反射効果によって、隠し図案が意匠図案に勝って光を反射するために、隠し図案が意匠図案に代わって現出する。
【図面の簡単な説明】
【０００７】
【図１】本発明の実施形態の一例とされるファッション製品の基本構成を示す平面図である。
【図２】（ａ）は本実施形態を通常の光の下で見たときの意匠図案の見え方を示す平面図、（ｂ）は本実施形態を直射光の下で見たときの隠し図案の見え方を示す平面図である。
【図３】（ａ）は下地製品一例の平面図であり、（ｂ）は同下地製品に定着される図案シートの平面図であり、（ｃ）は同図案シートの部分的な縦断面図である。
【図４】（ａ）は下地製品の他例の平面図であり、（ｂ）は同下地製品に定着される図案シートの平面図であり、（ｃ）は同図案シートの部分的な縦断面図である。
【図５】（ａ）、（ｂ）はいずれも再帰反射性を呈する微粒子の作用原理を説明する断面図であり、（ｃ）は同微粒子が定着された図案シートの一例の断面図であり、（ｄ）は同微粒子が定着された図案シートの他例の断面図である。
【発明を実施するための形態】
【０００８】
本発明の実施対象となるファッション製品は衣服、帽子、靴、バッグ等、使用者が身に着けるもので特に種別を問わないが、以下は衣服（Ｔシャツ）を実施対象とした形態について説明する。
【０００９】
図１は本発明の実施形態の一例とされるファッション製品の基本構成を示す平面図である。ファッション製品１は身に着けたときに他者から視認可能な部位、この例では前身頃の同一部位に意匠図案１０と隠し図案１１とが少なくとも一部を重ね合わせて形成されている。当該部位は繊維を下地材としていてもよいし、合成樹脂等を下地材としていてもよいし、金属プレート等で形成されていてもよい。
【００１０】
意匠図案１０は人が判別可能な文字、図案又は絵等である。意匠図案１０の一例として「♂」、「♀」のマークを組み合わせたものを示している。意匠図案１０のデザインやサイズに関して特段の制限はない。意匠図案１０は当該部位の下地材に乱反射性を呈する染料、顔料等によって形成されていればよく、その形成方法は特に制限されない。意匠図案１０はカラーであってもモノトーンであってもよい。
【００１１】
ファッション製品１はその意匠図案１０に重ね合わせて別の隠し図案１１が更に形成されている。隠し図案１１も人が判別可能な文字、図案又は絵等である。隠し図案１１の一例として「ＬＯＶＥ  ｆｏｒ  ＹＯＵ」の文字を記している。隠し図案１１のデザインやサイズに関して特段の制限はないがモノトーン図案とすることが望ましい。
【００１２】
隠し図案１１は意匠図案１０が形成された部位に再帰性反射を呈する透明な塗料等によって形成される。例えばファッション製品１の当該部位に再帰反射作用を呈する多数の微粒子を定着させることで隠し図案１１を形成できる。
このような方法で隠し図案１１を形成すれば、天井等から当該部位に光を当てる通常の照明の下では、再帰反射作用を呈する微粒子は人のいる水平方向にはほとんど光を反射せず、微粒子が存在しない場所の意匠図案１０は人のいる水平方向を含めて全方向に光を乱反射させる。一方、当該部位に光を水平に直射させる照明の下では、再帰反射作用を呈する微粒子は光を光源方向に向かって水平に集中的に反射させ（再帰反射）、その反射光は、微粒子が存在しない場所の意匠図案１０によって乱反射された光よりもずっと強力である。
したがって、通常の光（照明、日光）の下でファッション製品１を見たときには当該部位には意匠図案１０だけが見えるが、ファッション製品１を直射光の光源（ストロボ等）の近傍から見たときには、意匠図案１０に代わって隠し図案１１だけが見えるという独特な作用が生じる。つまり照明条件によってファッション製品１の同一部位において意匠図案１０と隠し図案１１とが入れ替わるという手品のような演出効果が得られる。またファッション製品１を肉眼で見たときには意匠図案１０が見えるが、ストロボ付きデジカメ等で撮影したときには隠し図案１１が撮影されるというような作用も生じる。
【００１３】
図２（ａ）は本実施形態を通常の光の下で見たときの意匠図案の見え方を示す平面図、図２（ｂ）は本実施形態を直射光の光源の近傍で見たときの隠し図案の見え方を示す平面図である。
【００１４】
ファッション製品１を通常の光で見たとき、その光源はファッション製品１を見る者から離れた場所にあるため、意匠図案１０からの乱反射光はその一部が見る者に向かうが、隠し図案１１からの再帰反射光は見る者には向かわない。その結果、図２（ａ）のように隠し図案１１は隠されてしまい、意匠図案１０だけが普通に見える状態となる。
【００１５】
一方同ファッション製品１を直射光の光源の近傍で見たとき、例えばファッション製品１をストロボ撮影したとき等、その光源はファッション製品１を見る者（カメラレンズ）の近傍にあるため、意匠図案１０からの乱反射光の一部と隠し意匠からの再帰反射光の両方が見る者に向かうことになる。ただし前者は弱い光のため全体的に低輝度となり、後者は強い光のため高輝度になる。その結果、図２（ｂ）のように意匠図案１０は暗い背景となってほとんど見えず隠し図案１１が明るく際立って見える状態となる。
【００１６】
次いで本実施形態における意匠図案、隠し図案の形成方法を幾例か具体的に説明する。
【００１７】
第一の方法として、下地とされるファッション製品（以下、下地製品と呼ぶ）の当該部位（無地）に、意匠図案と隠し図案とが予め形成された図案シートを定着させることが可能である。
【００１８】
図３（ａ）は下地製品の一例の平面図であり、図３（ｂ）は同下地製品に定着される図案シートの平面図であり、図３（ｃ）は同図案シートの部分的な縦断面図である。図３（ｃ）は図３（ｂ）の中央部に点線で示した矩形部分ｒを横方向に切断したときに得られる。
【００１９】
下地製品１Ａは無地のものとしている。また図案シート２は透明樹脂等からなる二層構造のものとしている。すなわち図案シート２は乱反射性を呈する染料又は顔料によって意匠図案１０が形成された第一層２ａと、再帰反射性を呈する多数の微粒子１２によって隠し図案１１が形成された第二層２ｂとからなり、第一層２ａの裏面側には接着剤２ｃが塗布されている。接着剤２ｃは下地材の種別に適したものを選択するとよい。アイロン等による押付け加熱で粘着性が得られる接着剤でもよい。下地製品１Ａにこのような図案シート２を定着させることで、意匠図案１０と隠し図案１１とを有するファッション製品が得られる。
【００２０】
第二の方法として、意匠図案が予め形成された下地製品１Ａの当該部位に隠し図案が予め形成された図案シート２を定着させることが可能である。
【００２１】
図４（ａ）はそのような下地製品の他例の平面図であり、図４（ｂ）は同下地製品に定着される図案シートの平面図であり、図４（ｂ）は同図案シートの部分的な縦断面図である。図４（ｃ）は図４（ｂ）の中央部に点線で示した矩形部分ｒを横方向に切断したときに得られる（図案シートを下地製品に定着させた状態で切断している）。
【００２２】
下地製品１Ａの当該部位には乱反射性を呈する染料又は顔料によって意匠図案１０が予め形成されている。この場合は意匠図案１０を有する既存の製品をそのまま採用してもよい。図案シート２透明樹脂等からなるシートであって再帰反射性を呈する多数の微粒子１２によって隠し図案１１が形成されており、その裏面には接着剤２ｃが塗布されている。下地製品１Ａにこのような図案シート２を定着させることで、意匠図案１０と隠し図案１１とを有するファッション製品が得られる。
【００２３】
第一、第二の方法で用いるシート材として熱転写シートを用いてもよい。
【００２４】
第三の方法として、意匠図案が予め形成された下地製品の当該部位に、再帰反射性を呈する塗料によって隠し図案を印刷してもよい。具体的には意匠図案が予め形成された下地製品の当該部位に接着剤によって隠し図案を印刷し、そこに再帰反射性を呈する微粒子を噴き付けてから接着剤を乾燥させる。このようにすれば意匠図案と隠し図案とを有するファッション製品が得られる。あるいは再帰反射性を呈する微粒子が予め混入された塗料を用いてもよい。印刷方法に特に制限はなく、凸版印刷、凹版印刷、平板印刷、インクジェット印刷等、各種印刷方法を用いることができる。
【００２５】
図５（ａ）、（ｂ）はいずれも再帰反射性を呈する微粒子の作用原理を説明する断面図である。これらの図面では同一の微粒子に対して異なる方向から光が入射している状態を示している。
【００２６】
微粒子１２はガラス又はアクリル樹脂等からなる微小な透明球体（ビーズ）であってその半球面に金属蒸着等によって反射膜１２ａが形成されている。金属蒸着膜は本来不透明であるが極薄くすれば透明になる。微粒子１２を凸レンズとして見ればその焦点は微粒子１２の外にあるが、微粒子１２の表面と焦点との距離は微粒子１２の径が小さくなるほど接近していく。よって微粒子１２を極小径として反射膜１２ａを形成しておけば、図５（ａ）、（ｂ）に示すように各方位から微粒子１２の表面に入射した平行光は屈折によって反射膜１２ａ上に収束して逆方向に反射拡散され、入射した表面で再び屈折収束されて平行光に戻るというプロセスで再帰光となる。
【００２７】
隠し図案１１は図案シート２（又は下地製品）に微粒子１２を分散させるときの微粒子１２の局所面密度によって表現される。すなわち図案シート２において微粒子１２が高密度に固着されている領域が隠し図案１１の明部１１ａとなり、微粒子１２が低密度（密度０を含む）に固着されている領域が隠し図案１１の暗部１１ｂとなる。
【００２８】
図５（ｃ）は微粒子が固着された図案シートの一例の断面図である。この例では微粒子１２が高密度に固着されている左側部分が隠し図案１１の明部１１ｂとなり、微粒子１２が低密度に固着されている右側部分が暗部１１ｂとなる。またこの例では微粒子１２の全てが反射膜１２ａのない半球を露出させた状態で図案シート２に固着（半埋設）されている。このようにすれば多数の微粒子１２で再帰性反射が生じるので隠し図案１１がくっきりと見えるようになる。
【００２９】
図５（ｄ）は微粒子が固着された図案シートの他例の断面図である。この例でも微粒子１２が高密度に固着されている左側部分が隠し図案１１の明部１１ａとなり、微粒子１２が低密度に固着されている右側部分が暗部１１ｂとなる。またこの例では微粒子１２がそれぞれランダムな方向の状態で図案シート２に固着されている。しかしこのようにしても微粒子１２の数が膨大であるから一定の割合で再帰性反射が生じ、そのため隠し図案１１の視認性に問題は生じない。
【００３０】
なお隠し図案１１の明部１１ａであっても微粒子１２によって完全に覆われず隙間があるのでその裏側にある意匠図案１０は通常の光の下では自然に見ることができる。また微粒子１２の反射膜は全ての光を反射せずに一部は透過させるのでその裏側にある意匠図案１０は通常の光の下では微粒子１２を透かして見ることもできる。このような理由で隠し図案１１は通常の光に対する透明性を呈する。
【符号の説明】
【００３１】
１    ファッション製品
２    シート
１０  意匠図案
１１  隠し図案
１２  微粒子
【図１】
2016156112.tif 000003
【図２】
2016156112.tif 000004
【図３】
2016156112.tif 000005
【図４】
2016156112.tif 000006
【図５】
2016156112.tif 000007